(57)【要約】      （修正有）【課題】軽量で、安価な大型磁力回転発電装置を提供する。【解決手段】磁石本体１の前後磁極面は、磁極面間方向巾を小さくした２個の磁極面磁石１−Ａとする。磁極面間方向の中間部構造１−Ｂは、透磁力の良いけい素鋼、又は、純鉄等の薄板を磁石本体断面形とし、中央部を中空形状とし、接着剤を塗り乾燥固定する。前磁極面磁石１−Ａに、中間部構造１−Ｂ、更に、後磁極面磁石１−Ａを接続し磁石本体１とする。突出部磁石１ａ，１ｂの長さの半分は磁石とし、残り半分は、突出部断面形で、中央部を中空形状の薄板鉄板を重ね接着剤を塗り乾燥固定し突出部磁石１ａ，１ｂとする。磁石本体１の前磁極面磁石１−Ａ、後磁極面磁石１−Ａに突出部磁石１ａ，１ｂを取り付け突出形磁石とする。【選択図】図２
2013192434.tif 000002
【特許請求の範囲】
【請求項１】
先の発明、磁力回転発電装置の突出形磁石は、フエライト、ネオジュウム等の永久磁石や、超電導電磁石に於て、回転力を与える磁力は、磁石本体と突出部の磁極面の磁力の大小によって、決まる。従って、磁石本体の前後磁極面は、磁極面間方向巾を小さくした、２個の磁石とする。又、磁極面間方向の中間部は、磁石でなく透磁力の良いけい素鋼、又は、純鉄等の薄板を、磁石本体断面形とし、又、断面薄板の中央部を、中空形状とした中間部とする。この中間部構造は、磁石断面形で中央部を、中空形状した薄板鉄板をプレス切断して作る。中央部が中空形状の薄板鉄板を同じ断面、長さの型に入れ、中間部長さになる枚数で重ねる。この時、上下、又は、左右面に接着剤を塗り、乾燥固定し、薄板鉄板断面形の中間部構造とする。それで、前磁極面磁石に、中間部構造接続し、更に、後磁極面磁石を接続し磁石本体とする。又、同じく、突出部磁石の長さの半分程度は、磁石とし、残り半分は、突出部断面形で、中央部を同じく、中空形状の薄板鉄板をプレス切断して作り、この中央部が、中空形状の薄板鉄板を、同じ断面、長さの型に入れ、突出部磁石の長さの残り半分の長さになる枚数を重ねる。この時、突出部磁石の残り半分形状構造の上下又は左右面に接着剤を塗り乾燥固定し、残り半分形状構造とする。それで、突出部磁石に、残り半分形状構造接続し突出部磁石とする。又、薄板鉄板断面形の中間部構造と残り半分形状構造は、中空形状のフェライト磁石構造としてしても良い。こうした構造を特徴とする突出形磁石。
【発明の詳細な説明】
【技術分野】
【０００１】この発明は、私が発明、出願した特願２０１１−３３８８９の磁力回転発電装置における突出形磁石に関する。
【背景技術】
【０００２】先の発明、磁力回転発電装置の突出形磁石は、超電導電磁石やネオジュウム磁石、フェライト磁石等の本体磁石の磁極面巾ｔに対し、両側磁極面巾方向巾ｍをｔと同じ長さとし、又、高さ方向の長さｈを磁極面巾ｔの３〜４倍とし、又、本体磁石の両側磁極面の逆位置端に、突出部の磁石が付く構成である。
【発明の開示】
【発明が解決しようとする課題】
【０００３】先の発明、磁力回転発電装置の突出形磁石は、超電導電磁石やネオジュウム磁石、フェライト磁石等の本体磁石の磁極面巾ｔに対し、両側磁極面巾方向巾ｍをｔと同じ長さとし、又、高さ方向の長さｈを磁極面巾ｔの３〜４倍とし、又、本体磁石の両側磁極面の逆位置端に、突出部の磁石が付く構成である。又、突出部の磁極面巾は、本体磁石の磁極面巾ｔの３分の１であり、又、最適高さｈは、区分円周ｇにおける２区分間円弧の２分の１とする。この為、重量が重くなる欠点がある。又、ネオジュウム磁石や超電導電磁石のコイル電線は、ネオジュウム、ニオプチタンの希少金属を用いる為、高価でコスト高となる欠点があった。
【課題を解決するための手段】
【０００４】先の発明、磁力回転発電装置の突出形磁石は、フエライト、ネオジュウム等の永久磁石や、超電導電磁石に於て、回転力を与える磁力は、磁石本体と突出部の磁極面の磁力の大小によって、決まる。従って、磁石本体の前後磁極面は、磁極面間方向巾を小さくした、２個の磁石とする。又、磁極面間方向の中間部は、磁石でなく透磁力の良いけい素鋼、又は、純鉄等の薄板を、磁石本体断面形とし、又、断面薄板の中央部を、中空形状とした中間部とする。この中間部構造は、磁石断面形で中央部を、中空形状した薄板鉄板をプレス切断して作る。中央部が中空形状の薄板鉄板を同じ断面、長さの型に入れ、中間部長さになる枚数で重ねる。この時、上下、又は、左右面に接着剤を塗り、乾燥固定し、薄板鉄板断面形の中間部構造とする。それで、前磁極面磁石に、中間部構造接続し、更に、後磁極面磁石を接続し磁石本体とする。又、同じく、突出部磁石の長さの半分程度は、磁石とし、残り半分は、突出部断面形で、中央部を同じく、中空形状の薄板鉄板をプレス切断して作り、この中央部が、中空形状の薄板鉄板を、同じ断面、長さの型に入れ、突出部磁石の長さの残り半分の長さになる枚数を重ねる。この時、突出部磁石の残り半分形状構造の上下又は左右面に接着剤を塗り乾燥固定し、残り半分形状構造とする。それで、突出部磁石に、残り半分形状構造接続し突出部磁石とする。又、薄板鉄板断面形の中間部構造と残り半分形状構造は、中空形状のフェライト磁石構造としてしても良い。こうした構造を特徴とする突出形磁石。
【発明を実施するための最良の形態】
【０００５】以下、本発明の実施の形態を図面に基づき詳細に説明する。【０００６】図１は先の発明である磁力回転発電装置における突出形磁石１の斜視図である。本体磁石１の前、後各磁極面の端部に突出部１ａ、１ｂ磁石を付けた構成である。尚、先の発明である本体磁石１の区分点ｅ位置側の磁極面を前磁極面と称し、反対側の磁極面を後磁極面と称する。突出部１ａ、１ｂ磁石の巾ａは、磁極面巾ｔの３分の１とし、長さｂは磁極面巾ｔの２分の１とする。磁極面間方向の長さｍは、磁極面巾ｔと同じ長さとする。又、選択した区分数における突出形磁石１の最適高さｈは、区分円周ｇにおける２区分間円弧の２分の１とする。【０００７】図２は、フェライト磁石、ネオジュウム磁石等の永久磁石を用いた時の本発明に於ける斜視図であり、図３は、図２を分解した時の本発明に於ける斜視図である。先の発明、磁力回転発電装置の突出形磁石１は、フエライト、ネオジュウム等の永久磁石や、超電導電磁石に於て、回転力を与える磁力は、磁石本体と突出部の磁極面の磁力の大小によって、決まる。従って、磁石本体の前、後磁極面は、磁極面間方向巾を小さくした２個の磁石１−Ａとし、磁極面間方向の中間部は、磁石でなく透磁力の良いけい素鋼、又は、純鉄等の薄板を、磁石本体断面形とし、又、断面薄板の中央部を、中空形状部分４としてプレス切断して作る。この中央部中空形状の薄板鉄板を同じ断面、長さの型に入れ、中間部長さになる枚数で重ね上下、又は、左右面に接着剤を塗り、乾燥固定し、中間部構造１−Ｂとする。前磁極面磁石１−Ａに中間部構造１−Ｂ接続し、更に、後磁極面磁石１−Ａを接続し、磁石１本体とする。又、同じく、突出部１ａ、１−ｂ磁石の長さの半分程度は、磁石とし、残り半分は、突出部断面形で、中央部中空形状部分４として薄板鉄板をプレス切断して作り、この中央部中空形状部分の薄板鉄板を同じ断面、長さの型に入れ、突出部磁石の長さの残り半分の長さになる枚数を重ね、上下又は左右面に接着剤を塗り乾燥固定し、残り半分形状構造１ａ−Ｄ、１ｂ−Ｄとする。それで、突出部磁石１ａ−Ｃ、１ｂ−Ｃに、残り半分形状構造１ａ−Ｄ、１ｂ−Ｄを接続し突出部磁石１ａ、１ｂとする。こうした構造を特徴とする突出形磁石【０００８】図４は、超電導電磁石を用いた時の斜視図であり、図５は、図４を分解した時の本発明に於ける斜視図である。尚、図５、図４の超電導電磁石１−Ｅは、本体超電導コイルの内部容器であり、又、突出部磁石１ａ、１ｂの超電導電磁石１−Ｆも超電導コイルの内部容器である。従って、超電導コイルの内部容器は、更に、外部容器で密封し、更に、真空容器で密封する。又、超電導コイルの内部容器に入ったヘリュウムガスを冷却して液体化する為の冷凍機は、天盤上部に設けるが、この冷凍機は、内部容器に格納され、内部容器は、、外部容器に格納される。外部容器は、真空容器で格納される。超電導電磁石と冷凍機を接続する配管２、垂直配管３も外部容器、真空容器で格納される。尚、配管２、垂直配管３２重配管とし、気体と液体が別々に流れる。【０００９】先の発明、磁力回転発電装置の超電導電磁石に於ける突出形磁石１は、回転力を与える磁力は、本体磁石１と突出部１ａ、１ｂの磁極面の磁力の大小によって、決まる。従って、磁石本体の前後磁極面は、磁極面間方向巾を小さくした、２個の超電導電磁石１−Ｅとし、磁極面間方向の中間部は、磁石でなく透磁力の良いけい素鋼、又は、純鉄等の薄板を、磁石本体断面形とし、又、断面薄板の中央部を、中空形状部分として薄板鉄板をプレス切断して作る。この中央部中空形状部分の薄板鉄板を同じ断面、長さの型に入れ、中間部長さになる枚数で重ね上下、又は、左右面に接着剤を塗り、乾燥固定し、薄板鉄板断面形の中間部構造１−Ｆとする。それで、前磁極面超電導電磁石１−Ｅに中間部構造１−Ｆを接続し、更に、後磁極面超電導電磁石を接続し、磁石本体１とする。又、同じく、突出部磁石１ａ、１ｂの長さの半分程度は、超電導電磁石１ａ−Ｇ、１ｂ−Ｇ、とし、残り半分は、突出部断面形で、中央部中空形状部分４の薄板鉄板をプレス切断して作り、この中央部中空形状部分４の薄板鉄板を同じ断面、長さの型に入れ、突出部超電導電磁石の長さの、残り半分の長さになる枚数を重ねて、残り半分形状構造１ａ−Ｈ、１ｂ−Ｈとする。この時、残り半分形状構造の上下又は左右面に接着剤を塗り乾燥固定し、残り半分形状構造１ａ−Ｈ、１ｂ−Ｈとする。突出部超電導電磁石１−Ｅに、残り半分形状構造１ａ−Ｈ、１ｂ−Ｈを接続し突出部超電導電磁石１ａ−Ｇ、１ｂ−Ｇとし、こうした構造の突出形磁石
【産業上の利用可能性】
【００１０】先の発明である磁力回転発電装置における突出形磁石１より、フェライト磁石でも半分程度軽量で、安価な大型磁力回転発電装置とする事ができる為、家庭用、農業用発電装置とする事ができる。又超電導電磁石の場合、軽量で大電力を得られるので電動機によるプロペラ回転航空機も可能となる。
【図面の簡単な説明】
【００４１】
【図１】図１は先の発明である磁力回転発電装置における突出形磁石１の斜視図である。
【図２】図２は、フェライト磁石、ネオジュウム磁石等の永久磁石を用いた時の本発明に於ける斜視図である。
【図３】図３は、図２を分解した時の本発明に於ける斜視図である。
【図４】図４は、図５の平面図
【図５】図５は、超電導電磁石を用いた時の本発明に於ける斜視図である。
【図６】図６は、図５を分解した時の本発明に於ける斜視図である。
【符号の説明】
【００４４】１              本体磁石
１ａ            前突出部磁石
１ｂ            後突出部磁石
１−Ａ          永久磁石
１−Ｂ          積層けい素鋼板の中間構造
１ａ−Ｃ        前突出部の永久磁石
１ａ−Ｄ        積層けい素鋼板の中間構造
１ｂ−Ｃ        後突出部の永久磁石
１ｂ−Ｄ        積層けい素鋼板の中間構造
１−Ｅ          本体磁石の超電導電磁石
１−Ｆ          積層けい素鋼板の中間構造
１ａ−Ｇ        前突出部の超電導電磁石
１ａ−Ｈ        積層けい素鋼板の中間構造
１ｂ−Ｇ        後突出部の超電導電磁石
１ｂ−Ｈ        積層けい素鋼板の中間構造
２              配管
３              垂直方向配管
４              中空形状部分
【図１】
2013192434.tif 000003
【図２】
2013192434.tif 000004
【図３】
2013192434.tif 000005
【図４】
2013192434.tif 000006
【図５】
2013192434.tif 000007
【図６】
2013192434.tif 000008